(57)【特許請求の範囲】
【請求項１】
タッチパネルを備える携帯端末であって、
設定入力部、
前記設定入力部に対するユーザの操作に基づいて、前記タッチパネルの周縁部に、当該タッチパネルの中央部よりも感度を低くした低感度領域を設定する設定部、および
前記携帯端末を操作する前記ユーザの手が、右手または左手のいずれであるかを判断する判断部を備え、
前記設定部は、前記判断部によって右手と判断されたときには、前記周縁部の第１の領域を前記低感度領域とし、前記判断部によって左手と判断されたときには、前記周縁部の第２の領域を前記低感度領域とする、携帯端末。
【請求項２】
前記設定入力部は、前記低感度領域の感度を変更するための感度入力部を含み、
前記設定部は、前記低感度領域の感度を前記感度入力部の操作に応じた感度に設定する、請求項１記載の携帯端末。
【請求項３】
前記設定入力部は、前記低感度領域の範囲を変更するための範囲入力部を含み、
前記設定部は、前記低感度領域の範囲を前記範囲入力部の操作に応じた範囲に設定する、請求項１または２記載の携帯端末。
【請求項４】
前記設定入力部は、前記タッチパネルの外部に設けられたハードキーを含む、請求項１ないし３のいずれかに記載の携帯端末。
【請求項５】
前記設定入力部は、前記タッチパネルによるソフトキーを含む、請求項１ないし４のいずれかに記載の携帯端末。
【請求項６】
前記低感度領域を可視表示する領域表示部を備える、請求項１ないし５のいずれかに記載の携帯端末。
【請求項７】
ウェブ閲覧時にリンクが張られているリンク領域を検出するリンク領域検出部を備え、
前記設定部は、前記リンク検出部によって検出された前記リンク領域を前記低感度領域から除外する、請求項１ないし６のいずれかに記載の携帯端末。
【請求項８】
タッチパネルを備える携帯端末であって、
前記携帯端末を操作するユーザの手が、右手または左手のいずれであるかを判断する判断部、および
前記判断部によって右手と判断されたときには、前記タッチパネルの周縁部の第１の領域に、当該タッチパネルの中央部よりも感度を低くした低感度領域を設定し、前記判断部によって左手と判断されたときには、前記タッチパネルの周縁部の第２の領域に、前記低感度領域を設定する設定部を備える、携帯端末。
【請求項９】
設定入力部を有し、ディスプレイ上に設けられたタッチパネルを備える携帯端末のプロセッサによって実行される低感度領域プログラムであって、前記低感度領域プログラムは、前記プロセッサを、
前記設定入力部に対するユーザの操作に基づいて、前記タッチパネルの周縁部に、当該タッチパネルの中央部よりも感度を低くした低感度領域を設定する設定部、および
前記携帯端末を操作する前記ユーザの手が、右手または左手のいずれであるかを判断する判断部として機能させ、
前記設定部は、前記判断部によって右手と判断されたときには、前記周縁部の第１の領域を前記低感度領域とし、前記判断部によって左手と判断されたときには、前記周縁部の第２の領域を前記低感度領域とする、低感度領域設定プログラム。
【発明の詳細な説明】
【技術分野】
【０００１】
この発明は、携帯端末および低感度領域設定プログラムに関し、特にディスプレイ上にタッチパネルを備える、携帯端末および低感度領域設定プログラムに関する。
【背景技術】
【０００２】
タッチパネルを備える携帯端末の一例が、特許文献１に開示されている。特許文献１の技術では、ディスプレイ上に設けたタッチパネルを用いて入力操作を行う際に、操作画面上に表示する複数のアイコンをディスプレイの周辺部近傍の基点から距離が大きいアイコンほど大きいサイズで表示することによって、タッチパネル入力における誤操作を減少させるようにしている。
【特許文献１】特開２００９−２６５７９３号公報［Ｇ０６Ｆ  ３／０４８］
【発明の概要】
【発明が解決しようとする課題】
【０００３】
たとえば、携帯端末に設けられるタッチパネルを用いて入力操作を行う場合、ユーザは、携帯端末を片手で持ち、把持した手の親指の付け根の部分を支点として親指を動かして、その指先でタッチ操作を行う（図３参照）。しかしながら、この入力操作の際には、親指の付け根の部分がタッチパネルに接触し易く、意図しない操作キーやアイコンが反応したり、表示した画像がスクロールしたりする等の誤動作を発生させてしまう場合がある。また、たとえば、ディスプレイに表示した画像を他の人に見せようとして、ディスプレイをその人の方に向けたり、携帯端末をその人に手渡したりする際にも、ユーザの指先などがタッチパネルに意図せず接触してしまい、同様の誤動作を発生させてしまう場合がある。
【０００４】
このような意図しないタッチパネルとの接触による誤動作の発生は、特に、ディスプレイが大画面化されてフレーム幅が縮小されると共に、タッチパネルの入力有効エリアがディスプレイの表示エリアのほぼ全域に設けられるスマートフォン等の携帯端末において、顕著に表れる。
【０００５】
それゆえに、この発明の主たる目的は、新規な、携帯端末および低感度領域設定プログラムを提供することである。
【０００６】
この発明の他の目的は、意図しないタッチパネルとの接触による誤動作の発生を低減できる、携帯端末および低感度領域設定プログラムを提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、タッチパネルを備える携帯端末であって、設定入力部、設定入力部に対するユーザの操作に基づいて、タッチパネルの周縁部に当該タッチパネルの中央部よりも感度を低くした低感度領域を設定する設定部、および携帯端末を操作するユーザの手が右手または左手のいずれであるかを判断する判断部を備え、設定部は、判断部によって右手と判断されたときには、周縁部の第１の領域を低感度領域とし、判断部によって左手と判断されたときには、周縁部の第２の領域を低感度領域とする、携帯端末である。
【０００９】
第１の発明では、携帯端末（１０）は、一例としてスマートフォンであって、たとえばディスプレイ（１４）上に設けられるタッチパネル（１６）を備える。設定入力部（１６，２８）は、ユーザからの入力操作を受け付ける。設定部（３０，６６２，Ｓ５）は、低感度領域設定プログラム（６６２）等を実行するプロセッサ（３０）であり、タッチパネルの周縁部に対して、タッチパネルの中央部よりも感度を低くした低感度領域（６０）を設定する。また、携帯端末を操作するユーザの手が右手または左手のいずれであるかを判断する判断部を備える。設定部は、判断部によって右手と判断されたときには、周縁部の第１の領域を低感度領域とし、判断部によって左手と判断されたときには、周縁部の第２の領域を低感度領域とする。タッチパネルの感度変更（低感度領域の感度低下）は、感度を決定するための検知閾値を変更すること等によって実行される。
【００１０】
第１の発明によれば、ユーザが意図せず触れてしまうことが多い部分であるタッチパネルの周縁部に対して低感度領域を設定できるので、意図しないタッチパネルとの接触による誤動作の発生を低減でき、タッチパネルの操作性を向上させることができる。
【００１１】
第２の発明は、第１の発明に従属し、設定入力部は、低感度領域の感度を変更するための感度入力部を含み、設定部は、低感度領域の感度を感度入力部の操作に応じた感度に設定する。
【００１２】
第２の発明では、携帯端末（１０）は、ユーザによる低感度領域（６０）の感度を変更するための入力操作を受け付ける感度入力部（１６，２８）を備える。設定部（３０，６６２）は、低感度領域の感度を感度入力部の操作に応じた感度に設定する（Ｓ１５，Ｓ２１）。
【００１３】
第２の発明によれば、各ユーザに適した低感度領域の感度設定が可能となるので、誤動作の発生をより効率的に低減できるようになり、タッチパネルの操作性がより向上する。
【００１４】
第３の発明は、第１または第２の発明に従属し、設定入力部は、低感度領域の範囲を変更するための範囲入力部を含み、設定部は、低感度領域の範囲を範囲入力部の操作に応じた範囲に設定する。
【００１５】
第３の発明では、携帯端末（１０）は、ユーザによる低感度領域（６０）の設定範囲を変更するための入力操作を受け付ける範囲入力部（１６，２８）を備える。設定部（３０，６６２）は、低感度領域の設定範囲（位置、形状および大きさ等）を、範囲入力部の操作に応じた範囲に設定する（Ｓ１１，Ｓ２１）。
【００１６】
第３の発明によれば、各ユーザに適した低感度領域の範囲設定が可能となるので、誤動作の発生をより効率的に低減できるようになり、タッチパネルの操作性がより向上する。
【００１７】
第４の発明は、第１ないし第３の発明のいずれかに従属し、設定入力部は、タッチパネルの外部に設けられたハードキーを含む。
【００１８】
第４の発明では、設定入力部（１６，２８）は、タッチパネル（１６）とは別に設けられるハードキー（２８）を含む。設定入力部としては、たとえば、押下によってＯＮ／ＯＦＦの切り替えが可能な押しボタン式のハードキーが採用される。
【００１９】
第４の発明によれば、ユーザがハードキーを利用することによって容易に低感度領域を設定できるようになる。
【００２０】
第５の発明は、第１ないし第４の発明のいずれかに従属し、設定入力部は、タッチパネルによるソフトキーを含む。
【００２１】
第５の発明では、タッチパネル（１６）によるソフトキーをユーザからの入力操作を受け付ける設定入力部（１６，２８）として利用する。
【００２２】
第５の発明によれば、低感度領域の範囲や感度などをより細かく設定することが可能となる。また、必ずしもハードキーを設ける必要がなくなるので、携帯端末の機械的構造を簡素化できる。
【００２３】
第６の発明は、第１ないし第５の発明のいずれかに従属し、低感度領域を可視表示する領域表示部を備える。
【００２４】
第６の発明では、領域表示部（３０，Ｓ７）は、低感度領域（６０）の設定範囲に対して色を付す等して、ディスプレイ（１４）に低感度領域を可視表示させる。
【００２５】
第６の発明によれば、ユーザが低感度領域の設定範囲を明確に認識できるようになる。
【００２６】
第７の発明は、第１ないし第６の発明のいずれかに従属し、ウェブ閲覧時にリンクが張られているリンク領域を検出するリンク領域検出部を備え、設定部は、リンク検出部によって検出された前記リンク領域を低感度領域から除外する。
【００２７】
第７の発明では、リンク領域検出部（３０）は、ウェブ閲覧時にリンクが張られているリンク領域（７０）を検出する。設定部（３０，６６２）は、リンク領域が低感度領域（６０）と重なるとき、そのリンク領域については低感度領域の設定を解除する。
【００２８】
第７の発明によれば、ユーザによってタッチ操作される可能性が高いリンク領域については、低感度領域とならないようにするので、タッチパネルの操作性が向上する。
【００２９】
第８の発明は、タッチパネルを備える携帯端末であって、携帯端末を操作するユーザの手が右手または左手のいずれであるかを判断する判断部、および判断部によって右手と判断されたときには、タッチパネルの周縁部の第１の領域に当該タッチパネルの中央部よりも感度を低くした低感度領域を設定し、判断部によって左手と判断されたときには、タッチパネルの周縁部の第２の領域に低感度領域を設定する設定部を備える、携帯端末である。
【００３０】
第８の発明では、携帯端末（１０）は、一例としてスマートフォンであって、たとえばディスプレイ（１４）上に設けられるタッチパネル（１６）を備える。判断部は、携帯端末を操作するユーザの手が右手または左手のいずれであるかを判断する。設定部（３０，６６２，Ｓ５）は、低感度領域設定プログラム（６６２）等を実行するプロセッサ（３０）であり、判断部によって右手と判断されたときには、タッチパネルの周縁部の第１の領域に対して、タッチパネルの中央部よりも感度を低くした低感度領域（６０）を設定する。一方、判断部によって左手と判断されたときには、タッチパネルの周縁部の第２の領域に対して、低感度領域を設定する。タッチパネルの感度変更は、感度を決定するための検知閾値を変更すること等によって実行される。
【００３１】
第８の発明によれば、ユーザが意図せず触れてしまうことが多い部分であるタッチパネルの周縁部に対して低感度領域を設定するので、意図しないタッチパネルとの接触による誤動作の発生を低減でき、タッチパネルの操作性を向上させることができる。
【００３２】
第９の発明は、設定入力部を有し、ディスプレイ上に設けられたタッチパネルを備える携帯端末のプロセッサによって実行される低感度領域プログラムであって、低感度領域プログラムは、プロセッサを、設定入力部に対するユーザの操作に基づいて、タッチパネルの周縁部に当該タッチパネルの中央部よりも感度を低くした低感度領域を設定する設定部、および携帯端末を操作するユーザの手が右手または左手のいずれであるかを判断する判断部として機能させ、設定部は、判断部によって右手と判断されたときには、周縁部の第１の領域を低感度領域とし、判断部によって左手と判断されたときには、周縁部の第２の領域を低感度領域とする、低感度領域設定プログラムである。
【００３３】
第９の発明によれば、第１の発明と同様の効果が期待できる。
【発明の効果】
【００３４】
この発明によれば、ユーザが意図せずに触れてしまうことが多い部分であるタッチパネルの周縁部に対して低感度領域を設定できるので、意図しないタッチパネルとの接触による誤動作の発生を低減でき、タッチパネルの操作性を向上させることができる。
【００３５】
この発明の上述の目的、その他の目的、特徴および利点は、図面を参照して行う以下の実施例の詳細な説明から一層明らかとなろう。
【図面の簡単な説明】
【００３６】
【図１】この発明の一実施例の携帯端末を示す外観図であり、（Ａ）は表面側から見た斜視図であり、（Ｂ）は裏面側から見た斜視図である。
【図２】図１に示す携帯端末の電気的な構成を示す図解図である。
【図３】図１に示す携帯端末のタッチパネルをユーザが操作している様子を示す図解図である。
【図４】図１に示す携帯端末をユーザが把持している様子を示す図解図である。
【図５】図１に示すタッチパネルに設定される低感度領域の態様を説明するための図解図であり、（Ａ）は低感度領域が設定されていない通常感度モードの状態を示し、（Ｂ）は低感度領域が設定された低感度モードの状態を示す。
【図６】図２に示すＲＡＭのメモリマップの一例を示す図解図である。
【図７】図２に示すプロセッサによる低感度領域設定処理の動作の一例を示すフロー図である。
【図８】図１に示すタッチパネルに設定される低感度領域の態様の他の一例を示す図解図である。
【図９】図１に示すタッチパネルに設定される低感度領域の態様のさらに他の一例を示す図解図である。
【図１０】図１に示すタッチパネルに設定される低感度領域の態様のさらに他の一例を示す図解図である。
【発明を実施するための形態】
【００３７】
図１を参照して、この発明の一実施例の携帯端末１０は、一例としてスマートフォン（smartphone）であり、縦長の扁平矩形のハウジング１２を含む。ただし、この発明において、携帯端末とは、従来のフィーチャホン（feature phone）、タブレット端末、ＰＤＡおよびデジタルカメラ等の携帯使用される端末ないし電子機器を含む概念で使用しており、この発明は、これら任意の携帯端末に適用できることを予め指摘しておく。
【００３８】
ハウジング１２の一方主面（表面）には、液晶や有機ＥＬなどのディスプレイ１４が設けられる。ディスプレイ１４の上には、タッチパネル１６が設けられる。このタッチパネル１６の入力有効エリアは、ディスプレイ１４の表示エリアのほぼ全域に設けられる。この実施例では、タッチパネル１６は、指などの物体が表面に接近して生じた電極間の静電容量の変化を検出する静電容量方式であり、たとえば１本または複数本の指がタッチパネル１６に触れたことを検出する。また、タッチパネル１６は、ディスプレイ１４の画面内で、任意の位置を指示するためのポインティングデバイスである。つまり、ユーザは、タッチパネル１６の表面を押したり、撫でたり、触ったりするタッチ操作を行うことによって、操作位置や操作方向などを携帯端末１０に入力することができる。
【００３９】
ハウジング１２の縦方向一端側には、スピーカ１８（図２参照）が内蔵され、そのスピーカ１８に通じる開口ＯＰ１がハウジング１２の表面に設けられる。また、ハウジング１２の縦方向他端側には、マイク２０（図２参照）が内蔵され、そのマイク２０に通じる開口ＯＰ２がハウジング１２の端面に設けられる。
【００４０】
また、ハウジング１２の縦方向他端側の表面には、タッチパネル１６と共に入力操作手段を構成するハードキーとして、通話キー２２、終話キー２４およびメニューキー２６が設けられる。
【００４１】
たとえば、ユーザは、ディスプレイ１４に表示されたダイヤルキー（図示せず）に対して、タッチパネル１６によってタッチ操作を行うことで電話番号を入力でき、通話キー２２を操作して音声通話を開始することができる。終話キー２４を操作すれば、音声通話を終了することができる。なお、この終話キー２４を長押しすることによって、携帯端末１０の電源をオン／オフすることができる。
【００４２】
また、メニューキー２６を操作すれば、ディスプレイ１４にメニュー画面が表示され、その状態でディスプレイ１４に表示されているソフトキーやメニューアイコンなどに対して、タッチパネル１６によるタッチ操作を行うことによってメニューを選択し、その選択を確定させることができる。なお、上述のメニューキー２６は、この携帯端末１０がカメラモードに設定される場合には、シャッタキーないし撮影キーとして機能する。
【００４３】
後述のカメラモジュール４８（図２参照）のための、カメラ開口ＯＰ３がハウジング１２の他方主面（裏面）に形成される。したがって、カメラモジュール４８はこの開口ＯＰ３を通した画像を撮影することになる。つまり、実施例の携帯端末１０でカメラモジュール４８によって写真を撮ろうとするときは、カメラ開口ＯＰ３を被写体に向けて、撮影キーとして機能するメニューキー２６を操作する。
【００４４】
さらに、この実施例では、ハウジング１２の側面に対して、設定キー２８が設けられる。設定キー２８は、詳細は後述するように、タッチパネル１６の周縁部に対して、タッチパネル１６の感度を中央部の感度よりも低くした低感度領域６０（図５参照）を設定するための設定入力部として機能するハードキーである。ユーザは、この設定キー２８のオン／オフを切り替えることによって、タッチパネル１６の入力有効エリアの周縁部に低感度領域６０が設定される低感度モードと、タッチパネル１６の入力有効エリア全体が同じ感度に設定される通常感度モードとのいずれかを選択できる。つまり、設定キー２８を利用することによって、ユーザは容易に低感度領域６０を設定できる。
【００４５】
図２は、携帯端末１０の電気的な構成を示すブロック図である。図２を参照して、携帯端末１０は、コンピュータまたはＣＰＵと呼ばれるプロセッサ３０を含む。プロセッサ３０には、無線通信回路３２、Ａ／Ｄ変換器３４、Ｄ／Ａ変換器３６、入力装置３８、表示ドライバ４０、フラッシュメモリ４２、ＲＡＭ４４、タッチパネル制御回路４６およびカメラモジュール４８などが接続される。
【００４６】
プロセッサ３０は、携帯電話機１０の全体制御を司る。ＲＡＭ４４には、フラッシュメモリ４２に予め設定されているプログラムの全部または一部が使用に際して展開され、プロセッサ３０はこのＲＡＭ４４上のプログラムに従って動作する。なお、ＲＡＭ４４はさらに、プロセッサ３０のワーキング領域ないしバッファ領域として用いられる。
【００４７】
入力装置３８は、図１に示すタッチパネル１６およびハードキー２２，２４，２６，２８を含むものであり、操作部または入力部を構成する。ユーザが操作したハードキーの情報（キーデータ）はプロセッサ３０に入力される。
【００４８】
無線通信回路３２は、アンテナ５０を通して、音声通話やメールなどのための電波を送受信するための回路である。実施例では、無線通信回路３２は、ＣＤＭＡ方式での無線通信を行うための回路である。たとえば、ユーザが入力装置３８を操作して電話発信（発呼）を指示すると、無線通信回路３２は、プロセッサ３０の指示の下、電話発信処理を実行し、アンテナ５０を介して電話発信信号を出力する。電話発信信号は、基地局および通信網（図示せず）を経て相手の電話機に送信される。そして、相手の電話機において着信処理が行われると、通信可能状態が確立され、プロセッサ３０は通話処理を実行する。
【００４９】
Ａ／Ｄ変換器３４には、マイク２０が接続され、マイク２０からの音声信号はこのＡ／Ｄ変換器３４を通してディジタルの音声データとしてプロセッサ３０に入力される。Ｄ／Ａ変換器３６には、スピーカ１８が接続される。Ｄ／Ａ変換器３６は、ディジタルの音声データを音声信号に変換して、アンプ（図示せず）を介してスピーカ１８に与える。したがって、音声データの音声がスピーカ２２から出力される。
【００５０】
なお、プロセッサ３０は、たとえばユーザによるボリューム(図示せず)の操作に応答して、Ｄ／Ａ変換器３６に接続されるアンプの増幅率を制御することによって、スピーカ１８から出力される音声の音量を調整することができる。
【００５１】
表示ドライバ４０には、図１に示すディスプレイ１４が接続される。ディスプレイ１４は、プロセッサ３０から出力される映像または画像データに従って映像または画像を表示する。つまり、表示ドライバ４０は、プロセッサ３０の指示の下、当該表示ドライバ４０に接続されたディスプレイ１４の表示を制御する。また、表示ドライバ４０は、表示する画像データを一時的に記憶するビデオメモリ（図示せず）を含む。ディスプレイ１４には、たとえばＬＥＤなどを光源とするバックライトが設けられており、表示ドライバ４０は、プロセッサ３０の指示に従って、そのバックライトの明るさや、点灯／消灯を制御する。
【００５２】
タッチパネル制御回路４６には、図１に示すタッチパネル１６が接続される。タッチパネル制御回路４６は、タッチパネル１６に必要な電圧などを付与するとともに、タッチ検出部として機能し、タッチパネル１６の入力有効エリア内でのタッチ操作を検出して、そのタッチ操作の位置を示す座標データをプロセッサ３０に出力する。プロセッサ３０は、この座標データに基づいて、そのときユーザがどのアイコンやキーにタッチしたかを判断する。
【００５３】
具体的には、タッチパネル１６の各位置で検出される静電容量がセンサ信号としてタッチパネル制御回路４６に対して入力される。タッチパネル制御回路４６は、入力信号に基づいて、各位置における静電容量の変化量に対応する検出値を算出し、検出値をその位置（領域）に設定された検知閾値と比較処理する。そして、検出値が検知閾値を超える場合は、その検出値に対応する位置をタッチ位置として検出して、その座標データをプロセッサ３０に出力する。ただし、検出値の閾値判断は、プロセッサ３０が行うようにしてもよい。
【００５４】
なお、タッチ操作はユーザの指だけに限らず、スタイラスペンなどによって行われてもよい。また、タッチパネル１６の検出方式には、表面型の静電容量方式が採用されてもよいし、抵抗膜方式、超音波方式、赤外線方式および電磁誘導方式などであってもよい。さらに、表示パネルの表面にタッチセンサを形成したオンセル型のタッチパネルを用いることもできる。
【００５５】
また、カメラモジュール４８は、プロセッサ３０に接続されたカメラ制御回路５２を含み、このカメラ制御回路５２には、プロセッサ３０からの命令に応じて、イメージセンサ５４および／またはフォーカスレンズ５６の位置（フォーカス）を調節するモータが含まれる。カメラ制御回路５２は、イメージセンサ５４から取り込んだ光学像を映像または画像データに変換してプロセッサ３０に入力する。つまり、カメラモジュール４８は、携帯端末１０で静止画像または動画像を撮影するために利用される。
【００５６】
次に、この実施例の動作の概要を説明する。たとえば、タッチパネル１６を用いて入力操作を行うときには、ユーザは、図３に示すように、携帯端末１０を片手で持ち、把持した手の親指の付け根の部分を支点として親指を動かして、その指先でタッチ操作を行う。しかし、この入力操作の際には、親指の付け根の部分が意図せずタッチパネル１６に接触してしまい、意図しない操作キーやアイコンが反応したり、表示した画像がずれたりスクロールしたりする等の誤動作が発生してしまう場合がある。また、たとえば、ディスプレイ１４に表示されている画像を見るとき等には、ユーザは、図４に示すように、タッチパネル１６に触れないように、ハウジング１２の側面を把持する。しかし、携帯端末１０を把持した状態で手を動かすとき、たとえば、ディスプレイ１４に表示した画像を他の人に見せようとして、ディスプレイ１４をその人の方に向けたり、携帯端末１０をその人に手渡したりするとき等に、ユーザの指先などが意図せずタッチパネル１６に接触してしまう場合がある。このような場合にも、意図しない操作キーやアイコンが反応したり、表示した画像がずれたりスクロールしたりする等の誤動作が発生する場合もありうる。
【００５７】
そこで、この実施例では、ユーザによる設定キー２８の操作に応じて、タッチパネル１６の周縁部に対して、タッチパネル１６の感度を中央部（低感度領域６０を設定する部分以外の領域）の感度よりも低くした低感度領域６０を設定できるようにしている。これは、意図しないタッチパネル１６への接触は、タッチパネル１６の周縁部に対して生じることが多いという検証結果に基づくものである。
【００５８】
設定キー２８は、たとえば、ＯＮ／ＯＦＦの２段階の切り替えが可能な押しボタン式のハードキーとされ、ユーザによる低感度領域６０の設定操作は、任意の画面または状態で行うことが可能とされる。ユーザは、たとえば、携帯端末１０を購入して初期設定を行うときや特定のアプリケーションを使用するときに、低感度領域６０の設定操作を行うとよい。
【００５９】
図５は、タッチパネル１６に設定される低感度領域６０の態様を説明するための図解図である。なお、図５では、理解を深めるために、低感度領域６０を斜線によって示しているが、実際には低感度領域６０は可視表示されず、携帯端末１０の使用時に低感度領域６０がユーザによって認識されることはない（後述の図８−１０も同様）。
【００６０】
たとえば図５(Ａ)に示すようなメニュー画面において、設定キー２８が押下されると、図５(Ｂ)に示すように、タッチパネル１６の周縁部に低感度領域６０が設定される（低感度モードに切り替えられる）。すなわち、タッチパネル１６の周縁部の予め決められた座標範囲（設定範囲）に対して、当該座標範囲の感度を低くする処理、たとえば感度を決定するための検知閾値を大きくする処理が行われる。たとえば、低感度領域６０は、タッチパネル１６の端縁から内側に延びる所定距離の幅（たとえば５−１０ｍｍ）で４辺を囲む枠形状に設定される。
【００６１】
このように低感度領域６０が設定された状態では、仮にユーザが低感度領域６０に意図せず接触してしまったとしても、低感度領域６０内に存在する操作キーやアイコン等は反応し難いので、誤動作の発生が抑制される。また、低感度領域６０が設定されないタッチパネル１６の中央部については、通常の感度に設定されているので、タッチパネル１６の操作性に支障をきたすことはない。なお、低感度領域６０は感度を低くしてあるだけなので、低感度領域６０内に存在する操作キーやアイコン等であっても操作自体は可能である。
【００６２】
一方、図５(Ｂ)に示すように低感度領域６０が設定されている状態で、設定キー２８が押下されると、低感度領域６０が解除され、通常感度モードに切り替えられる。すなわち、低感度領域６０の感度を元に戻す処理が行われ、タッチパネル６０の入力有効エリア全体が同じ感度に設定される。
【００６３】
ただし、設定キー２８は、タッチパネル１６の周縁部の一定範囲に低感度領域６０を設定する／しないの２段階の切り替えを行うだけでなく、第１感度、第２感度…というように、設定キー２８を押下するごとに低感度領域６０の感度を複数段階に切り替えることができるようにしてもよい。或いは、第１範囲、第２範囲…というように、設定キー２８を押下するごとに低感度領域６０の設定範囲を複数段階に切り替えることができるようにしてもよい。また、通常のキー操作では、低感度領域６０の感度が切り替えられ、設定キー２８の長押し後のキー操作では、低感度領域６０の設定範囲が切り換えられるというように、設定キー２８によって低感度領域６０の設定範囲および感度の双方を変更可能としてもよい。さらに、設定キー２８による低感度領域６０の設定範囲および感度の変更は、段階的変化ではなく、連続的変化で行ってもよい。このように、低感度領域６０の設定範囲や感度をユーザが任意に変更できるようにすることによって、各ユーザに適した低感度領域６０の設定が可能となる。これによって、意図しないタッチパネル１６との接触による誤動作の発生をより効率的に低減できるようになり、タッチパネル１６の操作性がより向上する。
【００６４】
また、図示は省略するが、設定キー２８として用いるハードキーの種類は適宜変更可能であり、設定キー２８としては、たとえば、ダイヤル式のハードキーを用いてもよいし、ＵＰキーおよびＤＯＷＮキーを含む押しボタン式のハードキーを用いてもよい。
【００６５】
さらに、低感度領域６０を設定するときには、低感度領域６０が設定される範囲をユーザが認識できるように、低感度領域６０を明示的に可視表示することもできる。たとえば、低感度領域６０に対して、画像が透過するように斜線を付したり、透過性を有する色を付したりするとよい。なお、低感度領域６０の可視表示は、設定操作時や設定後の数秒間のみ行うようにしてもよいし、低感度領域６０が設定されている期間中は常に行うようにしてもよい。これによって、ユーザは低感度領域６０の設定範囲を明確に認識できる。
【００６６】
また、低感度領域６０が設定されている状態のときには、低感度領域６０を設定中であることを示すアイコン６２を画面上部などに表示するようにしてもよい。たとえば、図５(Ｂ)に示すように、受信状態や電池残量などを表すアイコンと並べて表示するとよい。これによって、ユーザは低感度領域６０を設定中であることが認識できる。
【００６７】
図６は、図２に示すＲＡＭ４４のメモリマップの一例を示す図である。図６に示すように、ＲＡＭ４４には、プログラム記憶領域６６とデータ記憶領域６８が形成される。プログラム記憶領域６６は、上述したように、フラッシュメモリ４２に予め設定しているプログラムデータの一部または全部を読み出して記憶（展開）しておくための領域である。
【００６８】
プログラム記憶領域６６は、プロセッサ３０やタッチパネル制御回路４６で実行され、タッチ検出プログラム６６１および低感度領域設定プログラム６６２等を含む。タッチ検出プログラム６６１は、タッチパネル１６へのタッチ操作を検出するためのプログラムである。また、低感度領域設定プログラム６６２は、図５で説明したように、ユーザによる設定キー２８等（設定入力部）の操作に応じて、タッチパネル１６の周縁部に低感度領域６０を設定するためのプログラムである。つまり、ユーザが設定キー２８等を操作したときに、それに応じて低感度領域６０の設定範囲や低感度領域６０における感度を決定するための検知閾値を指定するプログラムである。
【００６９】
データ記憶領域６８は、低感度領域バッファ６８１、タッチバッファ６８２、タッチ座標マップデータ６８３およびタッチフラグ３３８等を含む。
【００７０】
低感度領域バッファ６８１には、設定された低感度領域６０の座標範囲や、低感度領域６０における感度を決定するための検知閾値のデータが記憶される。また、タッチバッファ６８２には、タッチ操作によって得られたタッチ点、リリース点、現在のタッチ位置などのタッチ座標のデータが一時的に記憶される。タッチ座標マップデータ６８３は、タッチバッファ６８２に格納されるタッチ座標を、ディスプレイ１４の表示座標に変換するためのデータである。
【００７１】
タッチフラグ６８４は、タッチ操作が検出されたか否かを判断するためのフラグである。たとえば、タッチフラグ６８４は、１ビットのレジスタで構成される。タッチフラグ６８４がオン（成立）されると、レジスタにはデータ値「１」が設定される。一方、タッチフラグ６８４がオフ（不成立）されると、レジスタにはデータ値「０」が設定される。なお、タッチフラグ３３８のオン／オフは、タッチパネル１６の静電容量の変化に対する閾値判断に基づいて、切り替えられる。
【００７２】
続いて、フロー図を用いてこの実施例の動作の一例について説明する。図７に示す低感度領域設定処理は、ユーザによる設定操作に基づいて、主としてプロセッサ３０によって実行されるものである。
【００７３】
ステップＳ１では、設定キー２８の操作があるか否か、つまり設定キー２８からの入力信号があるか否か判断する。ステップＳ１で“ＮＯ”の場合、すなわち設定キー２８の操作がない場合には、再度この処理を繰り返す。一方、ステップＳ１で“ＹＥＳ”の場合、すなわち設定キー２８の操作がある場合には、処理はステップＳ３に進む。
【００７４】
ステップＳ３では、低感度領域６０が設定されているか否かを判断する。つまり、低感度領域バッファ６８１に低感度領域６０の設定範囲や検知閾値を示すデータが記憶されているか否かの現在状態を判断する。ステップＳ３で“ＮＯ”の場合、すなわち低感度領域６０が設定されていない場合には、ステップＳ５に進む。
【００７５】
ステップＳ５では、タッチパネル１６の周縁部に低感度領域６０を設定する。すなわち、低感度領域６０の設定範囲や検知閾値を指定するデータを出力し、低感度領域バッファ６８１に記憶させる。低感度バッファ６８１に記憶されたデータは、タッチパネル１６に対するタッチ操作の検出に際して、タッチパネル制御回路４６またはプロセッサ３０による検出値の閾値判断に利用される。
【００７６】
次のステップＳ７では、低感度領域６０の設定範囲を可視表示する。すなわち、低感度領域６０の設定範囲に色を付す等、表示ドライバ４０に対してディスプレイ１４の表示を制御するよう指示を送る。
【００７７】
次のステップＳ９では、低感度領域６０の設定範囲に変更があるか否かを判断する。つまり、低感度領域６０の設定範囲を切り替える設定キー２８の操作が行われたか否かを判断する。ステップＳ９で“ＹＥＳ”の場合、すなわち低感度領域６０の設定範囲に変更がある場合には、次のステップＳ１１おいて、低感度領域バッファ６８１に記憶させている低感度領域６０の設定範囲を書き換え、ステップＳ１３に進む。一方、ステップＳ１１で“ＮＯ”の場合、すなわち低感度領域６０の設定範囲に変更がない場合には、そのままステップＳ１３に進む。
【００７８】
ステップＳ１３では、低感度領域６０の感度に変更があるか否かを判断する。つまり、低感度領域６０の感度を切り替える設定キー２８の操作が行われたか否かを判断する。ステップＳ１３で“ＹＥＳ”の場合、すなわち低感度領域６０の感度に変更がある場合には、次のステップＳ１５おいて、低感度領域バッファ６８１に記憶させている低感度領域６０の感度を決定するための検知閾値を書き換える。一方、ステップＳ１３で“ＮＯ”の場合、すなわち低感度領域６０の感度に変更がない場合には、そのまま低感度領域設定処理を終了する
また、ステップＳ３で“ＹＥＳ”の場合、すなわち低感度領域６０が設定されている場合には、ステップＳ１７で、解除操作か否かを判断する。つまり、ステップＳ１７では、低感度領域６０の設定を解除する設定キー２８の操作が行われたか、或いは低感度領域６０の設定範囲や感度を変更する設定キー２８の操作が行われたかのいずれであるかを判断する。
【００７９】
ステップＳ１７で“ＹＥＳ”の場合、すなわち低感度領域６０の解除操作が行われた場合には、次のステップＳ１９おいて、低感度領域６０の設定を解除する。つまり、タッチパネル１６の入力有効エリア全体が同じ感度に戻される。一方、ステップＳ１７で“ＮＯ”の場合、すなわち低感度領域６０の設定変更操作が行われた場合には、次のステップＳ２１おいて、低感度領域６０を再設定する。つまり、低感度領域バッファ６８１に記憶させている低感度領域６０の設定範囲や感度を決定するための検知閾値を書き換える。なお、設定キー２８が、タッチパネル１６に低感度領域６０を設定する／しないの２段階の切り替えを行うだけのものである場合には、ステップＳ９−Ｓ１５の処理やステップＳ１７およびＳ２１の処理は省略される。
【００８０】
この実施例によれば、ユーザが意図せず触れてしまうことが多い部分であるタッチパネル１６の周縁部に対して低感度領域６０を設定できるので、意図しないタッチパネル１６との接触による誤動作の発生を低減でき、タッチパネル１６の操作性を向上させることができる。特に、ディスプレイ１４が大画面化されてフレーム幅が小さくなると共に、タッチパネル１６の入力有効エリアがディスプレイ１４の表示エリアのほぼ全域に設けられるスマートフォン等の携帯端末１０において、その効果は大きい。
【００８１】
なお、図３および４では、携帯端末１０を右手で操作ないし把持している様子を示しているが、携帯端末１０を左手で操作ないし把持する場合、また、携帯端末１０を片方の手で把持し、もう片方の手で操作する場合（つまり両手を用いて携帯端末１０を操作する場合）にも、タッチパネル１６への意図しない接触による誤動作は同様に生じるので、タッチパネル１６の周縁部に低感度領域６０を設定しておくことは有効である。
【００８２】
なお、上述の実施例では、低感度領域６０を設定操作するための専用ハードキーとして設定キー２８を設けるようにしたが、これに限定されず、携帯端末１０が備える音量キー等の他のハードキーを設定キー２８と兼用させることもできる。たとえば、低感度領域６０を設定操作するための設定キー２８として音量キーを用いる場合には、通常の操作では、音量が変更され、長押し後の操作では、低感度領域６０が設定変更されるというようにするとよい。また、たとえば、通話機能やＴＶ機能が起動しているときには、音量キーとして機能し、ＷＥＢ機能や文字入力機能が起動しているときには、低感度領域６０を設定操作するための設定キー２８として機能するというように、携帯端末１０の使用状況に応じて自動的に機能が切り替わるようにしてもよい。
【００８３】
また、タッチパネル１６によるソフトキーを用いて、低感度領域６０を設定入力できるようにしてもよい。つまり、タッチパネル１６によるソフトキーを、ユーザからの入力操作を受け付ける設定入力部として利用することもできる。たとえば、メニューキー２６を押すと現れる設定画面に表示されるソフトキーを操作していくことによって、低感度領域６０のＯＮ／ＯＦＦ、設定範囲（座標範囲）および感度（検知閾値）などを設定できるようにするとよい。これにより、低感度領域６０の範囲や感度などをより細かく設定することが可能となる。また、必ずしもハードキーを設ける必要がなくなるので、携帯端末１０の機械的構造を簡素化できる。
【００８４】
もちろん、ハードキーによる設定操作とソフトキーによる設定操作の双方を実行できるようにすることもできる。たとえば、低感度領域６０の設定のＯＮ／ＯＦＦのような切り替えはハードキーによる操作で行い、設定範囲や感度などの細かな設定変更はソフトキーによる操作で行うようにするとよい。
【００８５】
また、上述の実施例では、低感度領域６０をタッチパネル１６の周縁部の４辺に亘って延びる枠状に設定したが、低感度領域６０の設定範囲（位置、形状および大きさ）は、任意の態様を採用できる。たとえば、図８に示すように、タッチパネル１６の周縁部の両側２辺のみに低感度領域６０を設定することもできるし、図示は省略するが、右側のみや左側のみの１辺、或いは右側および下側のみの２辺というように、タッチパネル１６の周縁部の任意の１−３辺に低感度領域６０を設定することもできる。また、たとえば、図９に示すように、タッチパネル１６の周縁部の右下側に不定形状の低感度領域６０を設定するというように、特にユーザが意図せず触れてしまうことが多い部分を選択して、低感度領域６０を設定することもできる。
【００８６】
さらに、ウェブ閲覧時にリンクが張られているリンク領域７０を検出するリンク領域検出部を備えるようにし、リンク領域７０が検出された座標領域は、低感度領域６０から除外するようにすることもできる。つまり、図１０に示すように、低感度領域６０が設定されている状態であっても、ウェブ閲覧画面が表示され、かつリンク領域７０が低感度領域６０と重なるときには、そのリンク領域７０については、低感度領域６０の設定が自動的に解除されるようにすることもできる。このように、ユーザによってタッチ操作される可能性が高いリンク領域７０については、低感度領域６０とならないようにすることによって、タッチパネル１６の操作性を維持することができる。なお、ウェブ閲覧時におけるリンク領域７０を検出には、市販のソフトウェアプログラムを利用するとよく、このプログラムを実行するプロセッサ３０がリンク領域検出部として機能する。
【００８７】
また、低感度領域６０の設定範囲および感度に関しては、ユーザが携帯端末１０を通常手に持った状態を基準として、キャリブレーション等でユーザ毎に設定可能としてもよい。この場合には、たとえば、低感度領域６０を設定する前に、ユーザに対して文章入力などのタッチパネル１６の練習操作を行わせ、その際に蓄積したタッチ操作に関するデータを利用するとよい。たとえば、その練習操作の際に、通常のタッチ操作と比較して静電容量の変化量が小さいタッチ操作がタッチパネル１６の周縁部右側に多く検出されるような場合には、少なくともその静電容量の変化量が小さいタッチ操作が検出されない感度に設定される低感度領域６０を、タッチパネル１６の周縁部右側に対して設定するよい。このように、ユーザ毎に低感度領域６０の設定範囲および感度を設定可能とすることによって、意図しないタッチパネル１６との接触による誤動作の発生をより効率的に低減できるようになり、タッチパネル１６の操作性がより向上する。
【００８８】
さらに、上述の実施例では、低感度領域６０内の感度は全て一定となるように設定したが、これに限定されない。たとえば、低感度領域６０の外縁部から内縁部に向かうに従って、徐々に感度を上げるように設定することもできる。
【００８９】
また、上述の実施例では、ユーザが低感度領域６０を設定するか否かを選択できるようにしたが、低感度領域６０は、ユーザの選択によらず常に設定しておくこともできる。また、意図しない接触による誤動作が生じ易い特定のアプリケーションをユーザが使用するときのみ、たとえば文字入力画面やカメラ画像を閲覧する画面などが選択されたときに、その選択と連動させて自動的に低感度領域６０が設定されるようにしてもよい。
【００９０】
さらに、ユーザの意図しないタッチパネル１６への接触は、右手で携帯端末１０を操作するユーザ（右利きのユーザ）に関しては、タッチパネル１６の周縁部右側に生じ、左手で携帯端末１０を操作するユーザ（左利きのユーザ）に関しては、タッチパネル１６の周縁部左側に生じるという傾向がある。このため、ユーザが右利きであるか左利きであるかを検出し、ユーザの利き手に応じて低感度領域６０の設定範囲を自動的に変えるようにしてもよい。これによって、意図しないタッチパネル１６との接触による誤動作の発生をより効率的に低減できるようになり、タッチパネル１６の操作性がより向上する。たとえば、タッチ操作の検出データをタッチパネル１６の座標領域ごとに蓄積しておき、周縁部左側のタッチ操作と比較して、周辺部右側のタッチ操作が多く検出されたユーザは、右利きであると判断する。そして、右利きであると判断された後は、たとえばタッチパネル１６の周縁部右側のみに低感度領域６０を設定するというようにするとよい。
【００９１】
また、上述の実施例で用いられた複数のプログラムは、データ配信用のサーバのＨＤＤに記憶され、ネットワークを介して携帯端末１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯端末にインストールされた場合、本実施例と同等の効果が得られる。
【００９２】
なお、本明細書中で挙げた具体的な数値は、いずれも単なる一例であり、製品の仕様変更などに応じて適宜変更可能である。
【符号の説明】
【００９３】
１０  …携帯端末
１２  …ハウジング
１４  …ディスプレイ
１６  …タッチパネル（設定入力部：ソフトキー）
２８  …設定キー（設定入力部：ハードキー）
３０  …プロセッサ
４６  …タッチパネル制御回路
６０  …低感度領域
６２  …アイコン
６６  …プログラム記憶領域
６８  …データ記憶領域
【図１】
0005743847.tif 000002
【図２】
0005743847.tif 000003
【図３】
0005743847.tif 000004
【図４】
0005743847.tif 000005
【図５】
0005743847.tif 000006
【図６】
0005743847.tif 000007
【図７】
0005743847.tif 000008
【図８】
0005743847.tif 000009
【図９】
0005743847.tif 000010
【図１０】
0005743847.tif 000011